(57)【特許請求の範囲】
【請求項１】
原稿に形成された画像を読み取る画像読取装置であって、
前記原稿を搬送する搬送ローラーと、
前記原稿に形成された画像を読み取る画像読取部と、
前記画像に基づいて、前記原稿に孔が形成されているか否かを判定する第１判定部と、
前記原稿に孔が形成されていると判定された場合に、前記孔が前記搬送ローラーの端部を通過するか否かを判定する第２判定部と、
前記孔が前記搬送ローラーの端部を通過すると判定された場合に、前記原稿の搬送を停止する搬送停止部と
を備える、画像読取装置。
【請求項２】
前記原稿の搬送をガイドする搬送ガイドと、
前記原稿に孔が形成されていると判定された場合に、前記孔が前記搬送ガイドの凸部を通過するか否かを判定する第３判定部と
を備え
前記搬送停止部は、前記孔が前記搬送ガイドの凸部を通過すると判定された場合に、前記原稿の搬送を停止する、請求項１に記載の画像読取装置。
【請求項３】
前記搬送停止部による前記原稿の搬送停止に応じて、前記原稿に前記孔が形成されているために搬送を停止した旨を外部に報知する報知部を備える、請求項１又は請求項２に記載の画像読取装置。
【請求項４】
前記原稿の両面に画像が形成されており、
前記画像読取部は、前記原稿の両面に形成された画像を読み取るように予め設定されており、
前記原稿に孔が形成されていると判定された場合に、前記原稿の片面に形成された画像を読み取るように設定を変更する設定変更部を備える、請求項１から請求項３のいずれか１項に記載の画像読取装置。
【請求項５】
前記画像読取部は、前記原稿に形成された画像を連続して読み取るように予め設定されており、
前記設定変更部は、前記原稿に孔が形成されていると判定された場合に、前記原稿に形成された画像を１枚毎に読み取るように設定を変更する、請求項４に記載の画像読取装置。
【請求項６】
記録媒体に画像を形成する画像形成部と、
請求項１から請求項５のいずれか１項に記載の画像読取装置と
を備える、画像形成装置。
【発明の詳細な説明】
【技術分野】
【０００１】
本発明は、画像読取装置、及び、画像形成装置に関する。
【背景技術】
【０００２】
従来、原稿に形成された画像を読み取る画像読取装置が知られている。また、画像読取装置において、パンチ孔に関して種々の処理を行う技術が知られている。
【０００３】
例えば、パンチ孔が開いている領域を除外して白紙検出を行う画像読取装置が開示されている（特許文献１参照）。この画像読取装置では、原稿にパンチ孔が開いている場合に、矩形領域を白紙検出の際の判定対象領域から除外する。上記矩形領域は、パンチ孔が形成されている領域を含む。また、判定対象領域内において、濃度が零（ゼロ）から所定濃度までの画素数の総和がカウント閾値より大きい場合には、白紙であると判断する。
【０００４】
特許文献１には、原稿のパンチ孔位置を含む領域を白紙検出対象領域から除外することによって、白紙の誤検出を抑制することができると記載されている。
【先行技術文献】
【特許文献】
【０００５】
【特許文献１】特開２００３−１９８７７７号公報
【発明の概要】
【発明が解決しようとする課題】
【０００６】
しかしながら、特許文献１に記載の画像読取装置では、パンチ孔の周囲がダメージを受ける恐れがあった。例えば、パンチ孔が搬送ローラーの端部を通過すると、パンチ孔の周囲がダメージを受ける恐れがある。
【０００７】
具体的には、原稿は、例えば、搬送ローラー対によって挟持された状態で搬送される。また、搬送ローラーとして、例えば、複数の幅狭ローラーを有する分割ローラーが用いられる。更に、搬送ローラーと原稿との間の摩擦係数を増大するために、例えば、搬送ローラーの材質としてゴムのような弾性材料が用いられる。このような場合には、パンチ孔が幅狭ローラーの端部を通過すると、幅狭ローラーの端部がパンチ孔に入り込む恐れがある。そして、幅狭ローラーの端部がパンチ孔に入り込むと、パンチ孔の周囲の一部が分割ローラーの端部に係合し、ダメージを受ける恐れがある。
【０００８】
本発明は、上記課題に鑑みてなされたものであり、パンチ孔のような孔の周囲がダメージを受けることを抑制することの可能な画像読取装置、及び、画像形成装置を提供することを目的としている。
【課題を解決するための手段】
【０００９】
本発明の画像読取装置は、原稿に形成された画像を読み取る画像読取装置であって、搬送ローラー、画像読取部、第１判定部、第２判定部、及び、搬送停止部を備える。前記搬送ローラーは、前記原稿を搬送する。前記画像読取部は、前記原稿に形成された画像を読み取る。前記第１判定部は、前記画像に基づいて、前記原稿に孔が形成されているか否かを判定する。前記第２判定部は、前記原稿に孔が形成されていると判定された場合に、前記孔が前記搬送ローラーの端部を通過するか否かを判定する。前記搬送停止部は、前記孔が前記搬送ローラーの端部を通過すると判定された場合に、前記原稿の搬送を停止する。
【００１０】
本発明の画像形成装置は、前記画像読取装置、及び、画像形成部を備える。前記画像形成部は、記録媒体に画像を形成する。
【発明の効果】
【００１１】
本発明の画像読取装置、及び、画像形成装置によれば、パンチ孔のような孔の周囲がダメージを受けることを抑制できる。
【図面の簡単な説明】
【００１２】
【図１】本発明の実施形態に係る画像形成装置の構成を示す図である。
【図２】画像読取ユニット及び原稿搬送ユニットの構成を示す図である。
【図３】制御部の構成を示す図である。
【図４】パンチ孔と搬送ローラーの端部との位置関係を示す図である。（ａ）は、パンチ孔が形成された用紙の平面図である。（ｂ）は、パンチ孔が搬送ローラーの端部を通過する条件を示す図である。
【図５】制御部の動作を示すフローチャートである。
【図６】制御部の動作を示すフローチャートである。
【図７】原稿搬送ユニットの他の形態を示す図である。
【発明を実施するための形態】
【００１３】
以下、本発明の実施形態について、図面（図１〜図７）を参照しながら説明する。なお、図中、同一又は相当部分については同一の参照符号を付して説明を繰り返さない。
【００１４】
まず、図１を参照して、本実施形態に係る画像形成装置１００について説明する。図１は、本実施形態に係る画像形成装置１００の構成を示す図である。画像形成装置１００は、本実施形態では、複合機（ＭＦＰ：Ｍｕｌｔｉ  Ｆｕｎｃｔｉｏｎ  Ｐｅｒｉｐｈｅｒａｌ）である。画像形成装置１００は、スキャナー、複写機、プリンター、及び、ファクシミリの各機能を有する。画像形成装置１００は、画像形成ユニット１、画像読取ユニット２、原稿搬送ユニット３、操作パネル４、及び、制御部５を備える。
【００１５】
画像形成ユニット１は、記録媒体の一例である用紙Ｐに画像を形成する。画像読取ユニット２は、原稿Ｒに形成された画像を読み取る。原稿搬送ユニット３は、読み取り対象の原稿Ｒを搬送する。操作パネル４は、タッチパネル４１を備え、画像形成装置１００に対するユーザーからの操作を受け付ける。制御部５は、画像形成装置１００の動作を制御する。
【００１６】
画像形成ユニット１は、給紙カセット１１、給紙ローラー１２、搬送ローラー対１３、レジストローラー対１４、画像形成部１５、定着器１６、排出ローラー対１７、及び、排出トレイ１８を備える。給紙ローラー１２は、給紙カセット１１から用紙Ｐを１枚ずつ繰り出す。給紙ローラー１２によって繰り出された用紙Ｐは、搬送ローラー対１３及びレジストローラー対１４によって画像形成部１５まで搬送される。
【００１７】
画像形成部１５は、給紙カセット１１から搬送されてきた用紙Ｐに画像を形成する。画像形成部１５は、感光体ドラム１５１、帯電部１５２、露光部１５３、現像部１５４、転写ローラー１５５、及び、クリーニング部１５６を備える。感光体ドラム１５１は、円筒形の回転体であり、その周面には、静電潜像が形成される。帯電部１５２は、感光体ドラム１５１を所定の電位に帯電させる。露光部１５３は、画像データに基づきレーザー光を照射して感光体ドラム１５１の周面を露光する。その結果、画像データに応じた静電潜像が感光体ドラム１５１の周面に形成される。なお、画像データとしては、例えば、画像読取ユニット２が原稿Ｒを読み取って生成された画像データ、又は、図略の通信ネットワークを介して外部のコンピューターから受信した画像データが用いられる。画像形成部１５によって画像が形成された用紙Ｐは、定着器１６まで搬送される。
【００１８】
現像部１５４は、感光体ドラム１５１の周面に形成された静電潜像にトナーを供給して現像し、感光体ドラム１５１の周面にトナー像を形成する。転写ローラー１５５は、感光体ドラム１５１上のトナー像を用紙Ｐに転写する。クリーニング部１５６は、転写後に感光体ドラム１５１の周面に残留している残留トナーを除去する。
【００１９】
定着器１６は、用紙Ｐに形成された画像を用紙Ｐに熱定着する。定着器１６は、加熱ローラーと、加圧ローラーとを備える。加熱ローラーは、発熱体を内蔵する。加熱ローラー及び加圧ローラーは、両者が圧接されることによって、定着ニップ部を形成する。用紙Ｐが定着ニップ部を通過することによって、用紙Ｐの表面に付着したトナーが溶融及び加熱される。その結果、トナー像が用紙Ｐに定着される。トナー像が定着された用紙Ｐは、排出ローラー対１７によって排出トレイ１８へ排出される。
【００２０】
次に、図２を参照して、画像読取ユニット２、及び、原稿搬送ユニット３について説明する。図２は、画像読取ユニット２及び原稿搬送ユニット３の構成を示す図である。画像読取ユニット２及び原稿搬送ユニット３は、「画像読取装置」の一例に相当する。
【００２１】
画像読取ユニット２は、コンタクトガラス２１０、ＬＥＤ（Ｌｉｇｈｔ  Ｅｍｉｔｔｉｎｇ  Ｄｉｏｄｅ）２２、第１ミラー２３１、第２ミラー２３２、第３ミラー２３３、第１キャリッジ２６、第２キャリッジ２７、結像レンズ２８、及び、ＣＣＤ（Ｃｈａｒｇｅ  Ｃｏｕｐｌｅｄ  Ｄｅｖｉｃｅ）２９を備えている。ＬＥＤ２２及び第１ミラー２３１は、第１キャリッジ２６によって支持されている。また、第２ミラー２３２及び第３ミラー２３３は、第２キャリッジ２７によって支持されている。コンタクトガラス２１０は、幅広の原稿載置用ガラス２１２と、細長い原稿自動読取用ガラス２１１とを有している。原稿自動読取用ガラス２１１は、図２では原稿載置用ガラス２１２の左側に位置する。
【００２２】
画像読取ユニット２による原稿Ｒの画像読取方法には、フラットベッド読取モード、及び、ＡＤＦ（Ａｕｔｏ  Ｄｏｃｕｍｅｎｔ  Ｆｅｅｄｅｒ）読取モードの２種類の方法が存在する。フラットベッド読取モードでは、原稿載置用ガラス２１２上に載置された原稿Ｒの画像を読み取る。ＡＤＦ読取モードでは、原稿搬送ユニット３によって原稿Ｒを搬送させ、原稿Ｒが第１読取位置２１１ａを通過する際に、原稿Ｒの画像を読み取る。以下の説明では、画像読取ユニット２が、ＡＤＦ読取モードで原稿トレイ３１に載置された原稿Ｒの画像を読み取る場合について説明する。
【００２３】
具体的には、ＡＤＦ読取モードでは、原稿Ｒが第１読取位置２１１ａを通過するときに、ＬＥＤ２２が原稿Ｒに光を照射する。そして、原稿Ｒからの反射光が第１ミラー２３１、第２ミラー２３２、第３ミラー２３３の順に反射して、結像レンズ２８に入射する。結像レンズ２８に入射した光がＣＣＤ２９の受光面で光電変換によって結像されて画像信号として出力される。１ライン分の読み取りが終了すると、原稿Ｒが原稿搬送ユニット３によって搬送され、次のラインの読み取りが行われる。画像読取ユニット２は、上記動作を繰り返すことによって、原稿Ｒの画像を読み取る。
【００２４】
原稿搬送ユニット３は、原稿トレイ３１、ピックアップローラー３２、分離ローラー対３３、搬送ローラー対３４、レジストローラー対３５、読取ガイド３６、搬送ローラー対３７、排出ローラー対３８、反転ローラー対３８１、及び、原稿排出トレイ３９を備えている。原稿搬送ユニット３は、更に、分岐部ＳＰ１，ＳＰ２及び合流部ＳＰ３を備えている。また、原稿搬送ユニット３は、ＡＤＦを構成している。ピックアップローラー３２、分離ローラー対３３、搬送ローラー対３４、レジストローラー対３５、搬送ローラー対３７、反転ローラー対３８１、及び、排出ローラー対３８を構成する各ローラーは、「搬送ローラー」に相当する。
【００２５】
以下、ピックアップローラー３２、分離ローラー対３３、搬送ローラー対３４、レジストローラー対３５、搬送ローラー対３７、反転ローラー対３８１、及び、排出ローラー対３８を構成する各ローラーを、搬送ローラー３０と総称する場合がある。また、搬送ローラー３０は、ピックアップローラー３２、分離ローラー対３３、搬送ローラー対３４、レジストローラー対３５、搬送ローラー対３７、反転ローラー対３８１、及び、排出ローラー対３８に限定されない。例えば、搬送ローラー３０は、原稿搬送ユニット３における搬送路に配置されている非駆動ローラーも含む。
【００２６】
また、原稿搬送ユニット３は、搬送ガイド３９１を備える。搬送ガイド３９１は、搬送ローラー３０と隣接する他の搬送ローラー３０との間に、原稿Ｒの搬送路を形成する。例えば、搬送ローラー対３４とレジストローラー対３５との間に形成された原稿Ｒの搬送路の両側に、搬送ガイド３９１が配置される。
【００２７】
搬送ガイド３９１は、例えば、搬送路に沿って湾曲して形成された板状部材である。また、搬送ガイド３９１には、原稿Ｒとの間の摺動抵抗を減少するために、原稿Ｒの搬送方向に沿って複数の凸部３９２が形成されている。このような形態では、上記複数の凸部３９２は、「搬送ガイドの凸部」に相当する。
【００２８】
原稿トレイ３１には、複数枚の原稿Ｒ（図１参照）が載置される。原稿トレイ３１の底面には、例えば、原稿Ｒを上方に持ち上げるリフト機構が設けられている。原稿トレイ３１に原稿Ｒが載置されると、リフト機構が原稿Ｒを上方に持ち上げ、最上部の原稿Ｒがピックアップローラー３２に接触する。
【００２９】
ピックアップローラー３２は、原稿トレイ３１の最上部の原稿Ｒに接触し、回転駆動されて、最上部の原稿Ｒを１枚ずつ分離ローラー対３３に向けて繰り出す。ピックアップローラー３２は、原稿Ｒの後端を繰り出してから予め定められた紙間時間が経過した後に、次の原稿Ｒの繰り出しを開始する。
【００３０】
分離ローラー対３３は、ピックアップローラー３２から繰り出された原稿Ｒを搬送ローラー対３４に向けて１枚ずつ送出する。搬送ローラー対３４は、搬送された原稿Ｒを、レジストローラー対３５に向けて１枚ずつ送出する。搬送ローラー対３４へは、分離ローラー対３３又は反転ローラー対３８１から合流部ＳＰ３を経由して原稿Ｒが搬送される。合流部ＳＰ３では、２つの搬送路が合流する。２つの搬送路は、分離ローラー対３３から搬送ローラー対３４に向かう搬送路と、反転ローラー対３８１から搬送ローラー対３４に向かう搬送路とである。レジストローラー対３５は、搬送ローラー対３４から搬送されてきた原稿Ｒを、所定のタイミングで第１読取位置２１１ａへ送出する。
【００３１】
読取ガイド３６は、レジストローラー対３５よりも原稿Ｒの搬送方向の下流側に配置される。また、読取ガイド３６は、画像読取ユニット２のコンタクトガラス２１０に対向するように配置される。読取ガイド３６は、原稿Ｒの幅方向（図２の紙面に垂直な方向）に長く形成される。また、読取ガイド３６は、例えば、その長手方向（図２の紙面に垂直な方向）の両端部に配置されたコイルばねによって、コンタクトガラス２１０に向けて付勢される。読取ガイド３６の下面は、長手方向の両端部が中央部よりも下側に突出して形成されている。原稿搬送ユニット３を閉姿勢にしたときに、長手方向の両端部がコンタクトガラス２１０の上面に当接するように構成されている。また、読取ガイド３６下面の長さ方向中央部とコンタクトガラス２１０との間で形成される一定の隙間を原稿Ｒが通過するように構成されている。このようにして、ＡＤＦ読取モードでは、読取ガイド３６と原稿自動読取用ガラス２１１との間を原稿Ｒが通過するときに、原稿Ｒに形成された画像が読み取られる。
【００３２】
搬送ローラー対３７は、第１読取位置２１１ａよりも原稿Ｒの搬送方向の下流側に配置される。また、搬送ローラー対３７は、分岐部ＳＰ１を経由して原稿Ｒを排出ローラー対３８又は反転ローラー対３８１に搬送する。
【００３３】
反転ローラー対３８１は、搬送ローラー対３７よりも原稿Ｒの搬送方向の下流側に配置される。両面読取をする場合には、搬送ローラー対３７は、分岐部ＳＰ１及び分岐部ＳＰ２を経由して原稿Ｒを反転ローラー対３８１に搬送する。片面読取をする場合には、搬送ローラー対３７は、分岐部ＳＰ１を経由して原稿Ｒを排出ローラー対３８に搬送する。また、両面読取をする場合であっても、第１読取位置２１１ａで原稿Ｒの裏面画像が読み取られた後では、搬送ローラー対３７は、原稿Ｒを排出ローラー対３８に搬送する。
【００３４】
分岐部ＳＰ１は、搬送ローラー対３７よりも原稿Ｒの搬送方向の下流側に配置され、一つの搬送路を２つの搬送路に分岐する。２つの搬送路は、搬送ローラー対３７から排出ローラー対３８に向かう搬送路と、搬送ローラー対３７から反転ローラー対３８１に向かう搬送路である。分岐部ＳＰ１は、制御部５からの指示に応じて動作する分岐ガイド体を備える。分岐ガイド体は、原稿Ｒを搬送する搬送路を切り換える。具体的には、分岐ガイド体は、排出ローラー対３８に向かう搬送路、又は、反転ローラー対３８１に向かう搬送路を遮るように動作する。分岐ガイド体が排出ローラー対３８に向かう搬送路を遮るように動作した場合には、原稿Ｒは、反転ローラー対３８１に搬送される。分岐ガイド体が反転ローラー対３８１に向かう搬送路を遮るように動作した場合には、原稿Ｒは、排出ローラー対３８に搬送される。
【００３５】
また、反転ローラー対３８１は、搬送ローラー対３７から搬送された原稿Ｒの搬送方向を反転して、搬送ローラー対３４に搬送する。反転ローラー対３８１が原稿Ｒの搬送方向を反転することによって、原稿Ｒの表裏を反転する。具体的には、原稿Ｒが搬送ローラー対３７から反転ローラー対３８１へ搬送されるときには、原稿Ｒは、図２では右上向きに搬送される。そして、原稿Ｒの先端が反転ローラー対３８１を通過し、原稿Ｒの後端が分岐部ＳＰ２を通過したときに、反転ローラー対３８１は停止する。その後、反転ローラー対３８１は、逆向きに回転し、分岐部ＳＰ２を経由して、原稿Ｒを搬送ローラー対３４に搬送する。
【００３６】
分岐部ＳＰ２は、分岐部ＳＰ１よりも原稿Ｒの搬送方向の下流側に配置され、搬送路を２つの搬送路に分岐する。２つの搬送路は、搬送ローラー対３７から反転ローラー対３８１に向かう搬送路と、反転ローラー対３８１から搬送ローラー対３４に向かう搬送路である。分岐部ＳＰ２は、制御部５からの指示に応じて動作する分岐ガイド体を備える。分岐ガイド体は、原稿Ｒを搬送する搬送路を切り換える。具体的には、分岐ガイド体は、反転ローラー対３８１に向かう搬送路、又は、搬送ローラー対３４に向かう搬送路を遮るように動作する。原稿Ｒを反転ローラー対３８１に搬送する場合には、分岐ガイド体が搬送ローラー対３４に向かう搬送路を遮るように動作する。原稿Ｒを搬送ローラー対３４に搬送する場合には、分岐ガイド体が反転ローラー対３８１に向かう搬送路を遮るように動作する。
【００３７】
排出ローラー対３８は、搬送ローラー対３７から搬送された原稿Ｒを原稿排出トレイ３９に排出する。原稿排出トレイ３９は、その積載面が排出ローラー対３８の近傍では排出ローラー対３８の下方に位置し、排出原稿を積層することができる。
【００３８】
原稿Ｒの両面の画像を読み取る場合の画像読取ユニット２及び原稿搬送ユニット３の動作について、以下に説明する。
【００３９】
まず、原稿搬送ユニット３が、原稿Ｒを第１読取位置２１１ａへ搬送する。具体的には、ピックアップローラー３２が最上部の原稿Ｒを分離ローラー対３３に向けて繰り出す。分離ローラー対３３は、原稿Ｒを搬送ローラー対３４に向けて送出する。搬送ローラー対３４は、原稿Ｒをレジストローラー対３５に向けて送出する。レジストローラー対３５は、搬送されてきた原稿Ｒを、所定のタイミングで第１読取位置２１１ａへと送出する。
【００４０】
そして、第１読取位置２１１ａにおいて、画像読取ユニット２が原稿Ｒの表面に形成された画像を読み取る。具体的には、ＬＥＤ２２が原稿Ｒを照射し、原稿Ｒからの反射光がＣＣＤ２９に入射する。そして、ＣＣＤ２９の受光面で光電変換され、画像信号としてＣＣＤ２９から出力される。その結果、１ライン分の画像データの読み取りが終了する。次に、レジストローラー対３５が副走査方向（矢印Ｙ方向）に原稿Ｒを移動し、次のラインの読み取りが行われる。画像読取部５１は、原稿搬送ユニット３に原稿Ｒを移動させながら、原稿Ｒの表面の画像の連続読み取りを行い、画像データを生成する。そして、画像読取部５１は、読み取った画像データを制御部５のメモリーに記録する。
【００４１】
また、原稿Ｒの表面の画像の読み取りが完了すると、搬送ローラー対３７は、反転ローラー対３８１に原稿Ｒを搬送する。反転ローラー対３８１は、原稿Ｒの搬送方向を反転して、原稿Ｒを搬送ローラー対３４に搬送する。搬送ローラー対３４は、原稿Ｒをレジストローラー対３５に向けて送出する。レジストローラー対３５は、搬送されてきた原稿Ｒを、所定のタイミングで第１読取位置２１１ａへと送出する。そして、第１読取位置２１１ａにおいて、画像読取ユニット２が、原稿Ｒの表面と同様にして、原稿Ｒの裏面に形成された画像を読み取る。また、画像読取部５１は、読み取った画像データを制御部５のメモリーに記録する。そして、搬送ローラー対３７及び排出ローラー対３８が、原稿Ｒを原稿排出トレイ３９に排出する。
【００４２】
次に、図３及び図４を参照して、制御部５の構成について説明する。図３は、制御部５の構成を示す図である。
【００４３】
制御部５は、ＣＰＵ（Ｃｅｎｔｒａｌ  Ｐｒｏｃｅｓｓｉｎｇ  Ｕｎｉｔ）及びメモリーを備える。メモリーには、制御プログラムが記憶される。ＣＰＵは、制御プログラムを実行することによって、各種機能部として機能する。また、ＣＰＵは、制御プログラムを実行することによって、メモリーを各種機能部として機能させる。その結果、ＣＰＵ及びメモリーの各種機能部は、画像形成装置１００全体の動作を制御する。また、図３に示すように、制御部５は、画像読取部５１、第１判定部５２、第２判定部５３、第３判定部５４、設定変更部５５、搬送停止部５６、第１報知部５７、第２報知部５８、及び、位置記憶部５９を備える。
【００４４】
位置記憶部５９は、図２を参照して説明した搬送ローラー３０の端部の位置を記憶する。
【００４５】
図４を参照して、位置記憶部５９が記憶する内容について具体的に説明する。図４は、パンチ孔ＰＨが搬送ローラー３０の端部を通過する条件を示す図である。図４（ａ）は、パンチ孔ＰＨが形成された原稿Ｒの平面図である。図４（ｂ）は、パンチ孔ＰＨが搬送ローラー３０の端部を通過する条件を示す図である。
【００４６】
図４（ａ）に示すように、原稿Ｒには、パンチ孔ＰＨが２箇所形成されている。パンチ孔ＰＨの直径ＤＨは、例えば、６ｍｍである。２箇所のパンチ孔ＰＨの中心間の距離は、例えば、８０ｍｍである。また、パンチ孔ＰＨは、原稿Ｒの中心線について線対称な位置に形成されている。よって、パンチ孔ＰＨの中心から中心線までの距離ＬＨは、４０ｍｍである。なお、原稿Ｒの中心線を、図４（ａ）では一点鎖線で示す。
【００４７】
図４（ｂ）は、搬送ローラー３０の正面図を示す。搬送ローラー３０は、幅狭ローラー３０１、３０２、３０３、及び、中心軸３０４を含む。また、幅狭ローラー３０１、幅狭ローラー３０２、及び、幅狭ローラー３０３には、中心軸３０４が挿通されている。また、幅狭ローラー３０１、幅狭ローラー３０２、及び、幅狭ローラー３０３は、中心軸３０４に固定されている。本実施形態では、搬送ローラー３０の端部は、幅狭ローラー３０１、幅狭ローラー３０２、及び、幅狭ローラー３０３の端部に対応する。搬送ローラー３０の端部の幅方向位置は、搬送ローラー３０の幅方向中心位置から距離ＬＲ１、ＬＲ２、ＬＲ３の位置である。搬送ローラー３０の幅方向中心位置を、図４（ｂ）では一点鎖線で示す。搬送ローラー３０は、搬送ローラー３０の幅方向中心位置に対して左右対称に形成されている。
【００４８】
具体的には、幅狭ローラー３０２の端部の位置は、搬送ローラー３０の幅方向中心位置から距離ＬＲ１の位置である。幅狭ローラー３０３の幅方向の内側端部の位置は、搬送ローラー３０の幅方向中心位置から距離ＬＲ２の位置である。幅狭ローラー３０３の幅方向の外側端部の位置は、搬送ローラー３０の幅方向中心位置から距離ＬＲ３の位置である。
【００４９】
位置記憶部５９は、搬送ローラー３０を構成するローラー毎に、距離ＬＲ１、距離ＬＲ２、及び、距離ＬＲ３を記憶する。
【００５０】
次に、パンチ孔ＰＨが搬送ローラー３０の端部を通過する条件について説明する。なお、本実施形態では、原稿Ｒの幅方向の中心線（図４（ａ）の一点鎖線）が、搬送ローラー３０の幅方向の中心線（図４（ｂ）の一点鎖線）と一致する場合について説明する。換言すれば、搬送ローラー３０の幅方向の中心位置と原稿Ｒの幅方向の中心位置が一致するように原稿Ｒが搬送され、且つ、原稿Ｒの幅方向の両端が原稿Ｒの搬送方向に平行になるように原稿Ｒが搬送される場合について説明する。また、上述のように、搬送ローラー３０は、搬送ローラー３０の幅方向中心位置に対して左右対称に形成されている。よって、図４（ｂ）では、パンチ孔ＰＨが搬送ローラー３０の端部を通過する条件を、搬送ローラー３０の幅方向中心位置より右側について図示し、搬送ローラー３０の幅方向中心位置より左側は図示を省略している。
【００５１】
パンチ孔ＰＨは、直径ＤＨの円形である。パンチ孔ＰＨを示す直径ＤＨの円形が、幅狭ローラー３０１、３０２、３０３の端部の幅方向位置に重なる場合には、パンチ孔ＰＨが搬送ローラー３０の端部を通過する。よって、次の（１）式を満たすときには、パンチ孔ＰＨが幅狭ローラー３０２の端部を通過する。
ＬＢ１≦ＬＨ≦ＬＢ２      （１）
ここで、距離ＬＢ１は、（ＬＲ１−ＤＨ／２）であり、距離ＬＢ２は、（ＬＲ１＋ＤＨ／２）である。
【００５２】
また、次の（２）式を満たすときには、パンチ孔ＰＨが幅狭ローラー３０３の幅方向内側の端部を通過する。
ＬＢ３≦ＬＨ≦ＬＢ４      （２）
ここで、距離ＬＢ３は、（ＬＲ２−ＤＨ／２）であり、距離ＬＢ４は、（ＬＲ２＋ＤＨ／２）である。更に、次の（３）式を満たすときには、パンチ孔ＰＨが幅狭ローラー３０３の幅方向外側の端部を通過する。
ＬＢ５≦ＬＨ≦ＬＢ６      （３）
ここで、距離ＬＢ５は、（ＬＲ３−ＤＨ／２）であり、距離ＬＢ６は、（ＬＲ３＋ＤＨ／２）である。
【００５３】
図３に戻って、制御部５の構成について説明する。画像読取部５１は、原稿搬送ユニット３に原稿Ｒを搬送させ、画像読取ユニット２に原稿Ｒの画像を読み取らせて、画像データを生成する。なお、画像読取ユニット２は、図２を参照して説明したように、原稿Ｒの両面の画像を読み取る。
【００５４】
第１判定部５２は、原稿Ｒの画像に基づいて、原稿Ｒにパンチ孔ＰＨが形成されているか否かを判定する。具体的には、第１判定部５２は、以下のようにして、原稿Ｒにパンチ孔ＰＨが形成されているか否かを判定する。パンチ孔ＰＨの内部には、光を反射する紙のような物体が存在しない。よって、パンチ孔ＰＨは、ＬＥＤ２２から照射された光を反射しない。したがって、パンチ孔ＰＨに対応する画像は、黒色の円形画像となる。第１判定部５２は、原稿Ｒの画像に黒色の円形画像が含まれるか否かに応じて、原稿Ｒにパンチ孔ＰＨが形成されているか否かを判定する。
【００５５】
第２判定部５３は、パンチ孔ＰＨが搬送ローラー３０の端部を通過するか否かを判定する。具体的には、第１判定部５２が原稿Ｒにパンチ孔ＰＨが形成されていると判定した場合に、第２判定部５３は、パンチ孔ＰＨが搬送ローラー３０の端部を通過するか否かを判定する。更に具体的には、図４を参照して説明したように、第２判定部５３は、上記（１）式〜（３）式のいずれか１つを満たす場合に、搬送ローラー３０の端部を通過すると判定する。また、第２判定部５３は、搬送ローラー３０に含まれる全てのローラーについて、パンチ孔ＰＨが搬送ローラー３０の端部を通過するか否かを判定する。そして、搬送ローラー３０に含まれる少なくとも１つのローラーの端部をパンチ孔ＰＨが通過する場合に、第２判定部５３は、搬送ローラー３０の端部を通過すると判定する。
【００５６】
第３判定部５４は、パンチ孔ＰＨが搬送ガイド３９１の凸部３９２を通過するか否かを判定する。具体的には、第１判定部５２が原稿Ｒにパンチ孔ＰＨが形成されていると判定した場合に、第３判定部５４は、パンチ孔ＰＨが搬送ガイド３９１の凸部３９２を通過するか否かを判定する。また、パンチ孔ＰＨが搬送ガイド３９１の凸部３９２を通過するか否かの判定は、第２判定部５３による判定と同様の方法で行う。
【００５７】
設定変更部５５は、原稿Ｒの片面に形成された画像を読み取るように設定を変更する。具体的には、第１判定部５２が原稿Ｒにパンチ孔ＰＨが形成されていると判定した場合に、設定変更部５５は、原稿Ｒの片面に形成された画像を読み取るように設定を変更する。換言すれば、設定変更部５５は、原稿Ｒの両面に形成された画像を読み取る設定から、原稿Ｒの片面に形成された画像を読み取る設定に変更する。
【００５８】
また、設定変更部５５は、原稿Ｒに形成された画像を１枚毎に読み取るように設定を変更する。具体的には、第１判定部５２が原稿Ｒにパンチ孔ＰＨが形成されていると判定した場合に、設定変更部５５は、原稿Ｒに形成された画像を１枚毎に読み取るように設定を変更する。換言すれば、設定変更部５５は、原稿トレイ３１に載置された原稿Ｒを連続して読み取る設定から、原稿Ｒに形成された画像を１枚毎に読み取る設定に変更する。
【００５９】
搬送停止部５６は、原稿Ｒの搬送を停止する。具体的には、パンチ孔ＰＨが搬送ローラー３０の端部を通過すると第２判定部５３が判定した場合に、搬送停止部５６は、原稿Ｒの搬送を停止する。また、パンチ孔ＰＨが搬送ガイド３９１の凸部３９２を通過すると第３判定部５４が判定した場合に、搬送停止部５６は、原稿Ｒの搬送を停止する。
【００６０】
第１報知部５７は、原稿Ｒの搬送を停止した旨を外部に報知する。具体的には、搬送停止部５６による原稿Ｒの搬送停止に応じて、第１報知部５７は、原稿Ｒの搬送を停止した旨を外部に報知する。また、第１報知部５７は、例えば、タッチパネル４１を介して報知する。例えば、第１報知部５７は、タッチパネル４１に、「パンチ孔が搬送ローラーの端部を通過するため、原稿の搬送を停止しました。」のようなメッセージを表示する。本実施形態では、上記メッセージを、便宜上、「第３メッセージ」と記載する。第１報知部５７は、「報知部」に相当する。
【００６１】
第２報知部５８は、原稿Ｒの片面に形成された画像を読み取るように設定を変更した旨を外部に報知する。具体的には、設定変更部５５による両面読取から片面読取への設定変更に応じて、第２報知部５８は、原稿Ｒの片面に形成された画像を読み取るように設定を変更した旨を外部に報知する。また、第２報知部５８は、例えば、タッチパネル４１を介して報知する。例えば、第２報知部５８は、タッチパネル４１に、「原稿にパンチ孔が形成されているため、両面読取から片面読取に設定変更しました。」のようなメッセージを表示する。本実施形態では、上記メッセージを、便宜上、「第１メッセージ」と記載する。
【００６２】
また、第２報知部５８は、原稿Ｒに形成された画像を１枚毎に読み取るように設定を変更した旨を外部に報知する。具体的には、設定変更部５５による連続読取から１枚毎読取への設定変更に応じて、第２報知部５８は、原稿Ｒに形成された画像を１枚毎に読み取るように設定を変更した旨を外部に報知する。また、第２報知部５８は、例えば、タッチパネル４１を介して報知する。例えば、第２報知部５８は、タッチパネル４１に、「原稿にパンチ孔が形成されているため、連続読取から１枚毎読取に設定変更しました。」のようなメッセージを表示する。本実施形態では、上記メッセージを、便宜上、「第２メッセージ」と記載する。
【００６３】
更に、第２報知部５８は、原稿Ｒを裏返して原稿トレイ３１に載置し、片面読取を行うようユーザーに促す。具体的には、設定変更部５５による両面読取から片面読取への設定変更に応じて、第２報知部５８は、原稿Ｒを裏返して原稿トレイ３１に載置し、片面読取を行う旨を外部に報知する。また、第２報知部５８は、例えば、タッチパネル４１を介して報知する。例えば、第２報知部５８は、タッチパネル４１に、「原稿を裏返して原稿トレイに載置し、片面読取を行って下さい。」のようなガイダンスを表示する。
【００６４】
次に、図５及び図６を参照して、制御部５の動作について説明する。図５及び図６は、制御部５の動作を示すフローチャートである。まず、画像読取部５１が、原稿トレイ３１に載置された原稿Ｒの搬送を開始する（ステップＳ１０１）。そして、画像読取部５１が、原稿Ｒの表面に形成された画像の読み取りを開始する（ステップＳ１０３）。具体的には、画像読取部５１は、第１読取位置２１１ａにおいて、画像読取ユニット２を介して、原稿Ｒの表面に形成された画像を読み取る。
【００６５】
次に、画像読取部５１が、原稿Ｒの表面に形成された画像の読み取りが終了したか否かを判定する（ステップＳ１０５）。画像の読み取りが終了していないと判定した場合（ステップＳ１０５でＮＯ）には、処理が待機状態になる。画像の読み取りが終了したと判定した場合（ステップＳ１０５でＹＥＳ）には、処理がステップＳ１０７へ進む。そして、第１判定部５２が、原稿Ｒにパンチ孔ＰＨが形成されているか否かを判定する（ステップＳ１０７）。具体的には、第１判定部５２は、ステップＳ１０５で形成された原稿Ｒの表面の画像データに基づいて、原稿Ｒにパンチ孔ＰＨが形成されているか否かを判定する。
【００６６】
パンチ孔ＰＨが形成されていないと判定された場合（ステップＳ１０７でＮＯ）には、処理がステップＳ１０１へリターンする（戻る）。パンチ孔ＰＨが形成されていると判定された場合（ステップＳ１０７でＹＥＳ）には、処理がステップＳ１０９へ進む。そして、第２判定部５３は、パンチ孔ＰＨの距離ＬＨ及び直径ＤＨを求める（ステップＳ１０９）。距離ＬＨは、原稿Ｒの幅方向中心位置からパンチ孔ＰＨの中心位置までの距離である。次に、設定変更部５５が、原稿Ｒの両面の画像を読み取るように設定されているか否かを判定する（ステップＳ１１１）。原稿Ｒの両面の画像を読み取るように設定されていないと判定した場合（ステップＳ１１１でＮＯ）には、処理が図６に示すステップＳ１２５に進む。原稿Ｒの両面の画像を読み取るように設定されていると判定した場合（ステップＳ１１１でＹＥＳ）には、処理がステップＳ１１３に進む。
【００６７】
そして、設定変更部５５が、原稿Ｒの片面に形成された画像を読み取るように設定を変更する（ステップＳ１１３）。次に、第２報知部５８が、第１メッセージをタッチパネル４１に表示する（ステップＳ１１５）。第１メッセージは、原稿Ｒの片面に形成された画像を読み取るように設定を変更した旨を示す。次いで、第２報知部５８が、ガイダンスをタッチパネル４１に表示する（ステップＳ１１７）。上記ガイダンスは、原稿Ｒを裏返して原稿トレイ３１に載置し、片面読取を行う旨を示す。
【００６８】
次に、設定変更部５５が、原稿トレイ３１に載置された原稿Ｒを連続して読み取るように設定されているか否かを判定する（ステップＳ１１９）。原稿Ｒを連続して読み取るように設定されていないと判定した場合（ステップＳ１１９でＮＯ）には、処理が図６に示すステップＳ１２５に進む。原稿Ｒを連続して読み取るように設定されていると判定した場合（ステップＳ１１９でＹＥＳ）には、処理がステップＳ１２１に進む。そして、設定変更部５５が、原稿Ｒに形成された画像を１枚毎に読み取る設定に変更する（ステップＳ１２１）。次に、第２報知部５８が、第２メッセージをタッチパネル４１に表示する（ステップＳ１２３）。第２メッセージは、原稿Ｒの片面に形成された画像を読み取るように設定を変更した旨を示す。
【００６９】
ステップＳ１２３の処理が終了した場合、ステップＳ１１１でＮＯの場合、又は、ステップＳ１１９でＮＯの場合には、処理が図６に示すステップＳ１２５に進む。そして、第２判定部５３が、パンチ孔ＰＨが搬送ローラー３０の端部を通過するか否かを判定する（ステップＳ１２５）。パンチ孔ＰＨが搬送ローラー３０の端部を通過すると判定した場合（ステップＳ１２５でＹＥＳ）には、処理がステップＳ１２９に進む。パンチ孔ＰＨが搬送ローラー３０の端部を通過しないと判定した場合（ステップＳ１２５でＮＯ）には、処理がステップＳ１２７に進む。そして、第３判定部５４が、パンチ孔ＰＨが搬送ガイド３９１の凸部３９２を通過するか否かを判定する（ステップＳ１２７）。
【００７０】
パンチ孔ＰＨが搬送ガイド３９１の凸部３９２を通過しないと判定された場合（ステップＳ１２７でＮＯ）には、処理が図５に示すステップＳ１０１に戻る。パンチ孔ＰＨが搬送ガイド３９１の凸部３９２を通過すると判定された場合（ステップＳ１２７でＹＥＳ）には、処理がステップＳ１２９へ進む。
【００７１】
ステップＳ１２５でＹＥＳの場合、又は、ステップＳ１２７でＹＥＳの場合には、搬送停止部５６が、原稿Ｒの搬送を停止する（ステップＳ１２９）。そして、第１報知部５７が、第３メッセージをタッチパネル４１に表示する（ステップＳ１３１）。第３メッセージは、パンチ孔ＰＨが搬送ローラー３０の端部を通過するため、原稿Ｒの搬送を停止した旨を示す。ステップＳ１３１が終了した場合に、処理が終了する。
【００７２】
図３〜図６を参照して説明したように、第１判定部５２が、原稿Ｒに形成された画像に基づいて、原稿Ｒにパンチ孔ＰＨが形成されているか否かを判定する。原稿Ｒにパンチ孔ＰＨが形成されていると判定された場合に、第２判定部５３が、パンチ孔ＰＨが搬送ローラー３０の端部を通過するか否かを判定する。パンチ孔ＰＨが搬送ローラー３０の端部を通過すると判定した場合に、搬送停止部５６が、原稿Ｒの搬送を停止する。よって、原稿Ｒに形成されたパンチ孔ＰＨが搬送ローラー３０の端部を通過することを抑制できる。また、原稿Ｒに形成されたパンチ孔ＰＨが搬送ローラー３０の端部を通過すると、パンチ孔ＰＨの周囲がダメージを受ける恐れがある。したがって、原稿Ｒに形成されたパンチ孔ＰＨの周囲がダメージを受けることを抑制できる。
【００７３】
また、原稿Ｒにパンチ孔ＰＨが形成されていると判定された場合に、第３判定部５４が、パンチ孔ＰＨが搬送ガイド３９１の凸部３９２を通過するか否かを判定する。パンチ孔ＰＨが搬送ガイド３９１の凸部３９２を通過すると判定した場合に、搬送停止部５６が、原稿Ｒの搬送を停止する。よって、原稿Ｒに形成されたパンチ孔ＰＨが搬送ガイド３９１の凸部３９２を通過することを抑制できる。また、原稿Ｒに形成されたパンチ孔ＰＨが搬送ガイド３９１の凸部３９２を通過すると、パンチ孔ＰＨの周囲がダメージを受ける恐れがある。したがって、原稿Ｒに形成されたパンチ孔ＰＨの周囲がダメージを受けることを抑制できる。
【００７４】
更に、搬送停止部５６が原稿Ｒの搬送を停止した場合に、第１報知部５７が、原稿Ｒにパンチ孔ＰＨが形成されているために搬送を停止した旨を外部に報知する。よって、ユーザーは、搬送が停止された理由を確認することができる。したがって、ユーザーの利便性を向上することができる。
【００７５】
また、原稿Ｒの両面に形成された画像を読み取る場合には、原稿Ｒの表面の画像を読み取った後に、反転ローラー対３８１が原稿の表裏を反転する。よって、原稿Ｒにパンチ孔ＰＨが形成されている場合には、原稿Ｒを反転する際に、パンチ孔ＰＨの周囲がダメージを受ける恐れがある。また、原稿Ｒを反転させる際に、原稿Ｒにパンチ孔ＰＨが形成されているため、ジャムが発生する恐れがある。一方、原稿Ｒにパンチ孔ＰＨが形成されていると判定された場合に、設定変更部５５が、原稿Ｒの両面に形成された画像を読み取る設定から、原稿Ｒの片面に形成された画像を読み取る設定に変更する。よって、原稿Ｒを反転することがないため、孔の周囲がダメージを受けることを抑制できる。また、原稿Ｒを反転することがないため、ジャムが発生することを抑制できる。
【００７６】
また、原稿Ｒの両面に形成された画像を読み取る場合には、原稿Ｒの表面に形成された画像を読み取った後に、原稿Ｒの裏面に形成された画像を読み取る。原稿Ｒにパンチ孔ＰＨが形成されていると判定された場合には、設定変更部５５が、原稿Ｒの片面に形成された画像を読み取る設定に変更する。よって、原稿Ｒに形成された画像を連続して読み取ると、原稿Ｒの表面に形成された画像が連続して読み取られる。したがって、原稿Ｒの両面に形成された画像を正しい順序で読み取ることができない。一方、第１判定部５２が原稿Ｒにパンチ孔ＰＨが形成されていると判定した場合に、設定変更部５５は、原稿Ｒに形成された画像を１枚毎に読み取るように設定を変更する。よって、原稿Ｒの表面に形成された画像を読み取った後に、ユーザーに原稿Ｒを裏返して原稿トレイ３１に載置させて、裏面の画像を読み取ることができる。したがって、原稿Ｒの両面に形成された画像を正しい順序で読み取ることができる。
【００７７】
次に図７を参照して、原稿搬送ユニット３の他の形態について説明する。図７は、原稿搬送ユニット３の他の形態（原稿搬送ユニット３ａ）を示す図である。原稿搬送ユニット３ａは、主に、原稿Ｒの裏面の画像を読み取る画像読取部３５１を備える点で、原稿搬送ユニット３と相違している。原稿搬送ユニット３ａは、画像読取部３５１を備えるため、原稿Ｒを反転させることなく、原稿Ｒの表裏の画像を読み取ることができる。すなわち、画像読取ユニット２が原稿Ｒの表面の画像を読み取り、画像読取部３５１が原稿Ｒの裏面の画像を読み取る。原稿搬送ユニット３ａの構成のうち、主に原稿搬送ユニット３と相違する点について、以下に説明する。
【００７８】
原稿搬送ユニット３ａは、原稿トレイ３１ａ、ピックアップローラー３２ａ、給紙部３３ａ、搬送ローラー対３４ａ、レジストローラー対３４１ａ、画像読取部３５１ａ、白基準ローラー３５２ａ、搬送ローラー対３５ａ、読取ガイド３６ａ、搬送ローラー対３７ａ、排出ローラー対３８ａ、及び、原稿排出トレイ３９ａを備える。
【００７９】
給紙部３３ａは、ピックアップローラー３２ａよりも原稿Ｒの搬送方向の下流側に配置される。給紙部３３ａは、従動ローラー３３１ａ、駆動ローラー３３２ａ、張力調整ローラー３３３ａ、給紙ベルト３３４ａ、及び、分離ローラー３３５ａを備える。給紙ベルト３３４ａは、駆動ローラー３３２ａと従動ローラー３３１ａとに張架される。駆動ローラー３３２ａは、給紙ベルト３３４ａを駆動する。従動ローラー３３１ａは、給紙ベルト３３４ａの回転に伴って回転駆動される。張力調整ローラー３３３ａは、給紙ベルト３３４ａの張力を調整する。
【００８０】
給紙ベルト３３４ａと分離ローラー３３５ａとの間で給紙ニップ部が形成される。給紙ベルト３３４ａは、駆動ローラー３３２ａによって駆動され、給紙ニップ部に進入した原稿Ｒを搬送ローラー対３４ａに搬送する。分離ローラー３３５ａは、原稿Ｒの搬送方向と逆方向に原稿Ｒを搬送するように回転駆動される。このため、原稿トレイ３１ａから原稿Ｒが複数枚重なって引き出されたとしても、分離ローラー３３５ａによって、複数枚重なった原稿Ｒが１枚ずつに分離される。
【００８１】
レジストローラー対３４１ａは、搬送ローラー対３４ａから搬送されてきた原稿Ｒを、所定のタイミングで画像読取部３５１ａへと送出する。画像読取部３５１ａは、ＬＥＤ、コンタクトガラス、結像レンズ及びイメージセンサーを備え、これら各部材が一体化されたＣＩＳ（Ｃｏｎｔａｃｔ  Ｉｍａｇｅ  Ｓｅｎｓｏｒ）ユニットである。画像読取部３５１ａは、レジストローラー対３４１ａから搬送されてきた原稿Ｒの裏面の画像を読み取る。
【００８２】
白基準ローラー３５２ａは、画像読取部３５１ａと対向する位置に配置される。白基準ローラー３５２ａは、その外周面が白色とされている。シェーディング補正で用いる白基準データを取得するためである。なお、シェーディング補正で用いる白基準データは、下記のようにして、画像読取部３５１ａのイメージセンサーによって生成される。すなわち、画像読取部３５１ａの位置に原稿Ｒがなく、白基準ローラー３５２ａの外周面を画像読取部３５１ａのＬＥＤが照射する。そして、白基準ローラー３５２ａによる反射光を、画像読取部３５１ａのイメージセンサーが取得し、白基準データを生成する。
【００８３】
次に、原稿搬送ユニット３ａの動作について説明する。ピックアップローラー３２ａは、原稿トレイ３１ａの最上部の原稿Ｒを１枚ずつ給紙部３３ａに向けて繰り出す。給紙部３３ａは、原稿Ｒを搬送ローラー対３４ａに向けて１枚ずつ送出する。搬送ローラー対３４ａは、原稿Ｒをレジストローラー対３４１ａに向けて搬送する。レジストローラー対３４１ａは、原稿Ｒを所定のタイミングで画像読取部３５１ａへと送出する。画像読取部３５１ａは、原稿Ｒの裏面の画像を読み取る。搬送ローラー対３５ａは、レジストローラー対３４１ａから送出された原稿Ｒを、第１読取位置２１１ａへ送出する。第１読取位置２１１ａにおいて、画像読取ユニット２が原稿Ｒの表面の画像を読み取る。搬送ローラー対３７ａは、搬送ローラー対３５ａから第１読取位置２１１ａを経由して搬送された原稿Ｒを、排出ローラー対３８ａへ搬送する。排出ローラー対３８ａは、原稿Ｒを原稿排出トレイ３９ａに排出する。
【００８４】
原稿搬送ユニット３ａにおいては、ピックアップローラー３２ａ、分離ローラー３３５ａ、搬送ローラー対３４ａ、レジストローラー対３４１ａ、搬送ローラー対３５ａ、搬送ローラー対３７ａ、及び、排出ローラー対３８ａを構成する各ローラーは、「搬送ローラー」に相当する。また、原稿搬送ユニット３ａにおける搬送路に配置されている非駆動ローラーも「搬送ローラー」に含まれる。また、原稿搬送ユニット３ａは、搬送ガイド３９１ａを備える。搬送ガイド３９１ａは、図２を参照して説明した搬送ガイド３９１と同様の構成を有する。
【００８５】
原稿搬送ユニット３に換えて、原稿搬送ユニット３ａが使用される場合には、設定変更部５５は不要である。換言すれば、第１判定部５２が原稿Ｒにパンチ孔ＰＨが形成されていると判定した場合であっても、原稿Ｒの片面に形成された画像を読み取るように設定を変更する必要はない。すなわち、原稿Ｒの両面に形成された画像を読み取る設定のままでよい。画像読取部３５１ａ及び画像読取ユニット２が、原稿トレイ３１ａから原稿排出トレイ３９ａまでの１回の搬送で、原稿Ｒを反転させることなく、原稿Ｒの両面の画像を読み取るからである。
【００８６】
また、第１判定部５２が原稿Ｒにパンチ孔ＰＨが形成されていると判定した場合であっても、原稿Ｒに形成された画像を１枚毎に読み取るように設定を変更する必要はない。すなわち、原稿Ｒに形成された画像を連続して読み取る設定のままでよい。画像読取部３５１ａ及び画像読取ユニット２が、原稿トレイ３１ａから原稿排出トレイ３９ａまでの１回の搬送で、原稿Ｒを反転させることなく、原稿Ｒの両面の画像を読み取るからである。
【００８７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の構成から実質的に逸脱しない範囲で種々の変更が可能である。
【００８８】
（１）図３を参照して説明したように、第１判定部５２は、黒色の円形画像が含まれているか否かに応じてパンチ孔ＰＨが形成されているか否かを判定するが、これに限定されない。例えば、第１判定部５２が、原稿Ｒの画像に画像処理を施して、パンチ孔ＰＨが形成されているか否かを判定してもよい。画像処理は、例えば、エッジ強調処理である。
【００８９】
（２）図４を参照して説明したように、孔がパンチ孔ＰＨである形態について説明したが、これに限定されない。孔が原稿Ｒに形成されていればよい。例えば、孔が、原稿Ｒがダメージを受けることによって形成されてもよい。
【００９０】
（３）図４を参照して説明したように、原稿Ｒに２つのパンチ孔ＰＨが形成されている形態について説明したが、これに限定されない。原稿Ｒに３つ以上のパンチ孔ＰＨが形成されていてもよい。
【００９１】
（４）図４を参照して説明したように、原稿Ｒが原稿搬送ユニット３の前後方向（図２では紙面に垂直な方向）の中心位置を搬送され、且つ、原稿Ｒの幅方向の両端が搬送方向に平行になるように原稿Ｒが搬送される形態について説明したが、これに限定されない。原稿Ｒが原稿搬送ユニット３の前後方向（図２では紙面に垂直な方向）の中心位置からズレて搬送されてもよい。また、原稿Ｒの幅方向の両端が搬送方向に平行な状態から傾くように（すなわち、スキューして）原稿Ｒが搬送されてもよい。これらの場合には、図４を参照して説明した上記（１）式〜上記（３）式を、修正して、パンチ孔ＰＨが搬送ガイド３９１の凸部３９２を通過するか否かを判定することが好ましい。
【００９２】
（５）図４を参照して説明したように、搬送ローラー３０が３つの幅狭ローラー３０１〜３０３を備える形態について説明したが、これに限定されない。搬送ローラー３０が２つの幅狭ローラーを備えてもよいし、搬送ローラー３０が４つ以上の幅狭ローラーを備えてもよい。
【００９３】
（６）図３を参照して説明したように、搬送ガイド３９１に複数の凸部３９２が形成されている形態について説明したが、これに限定されない。搬送ガイド３９１に幅狭ローラーが配置されていてもよい。この場合には、幅狭ローラーは、搬送ローラー３０に含まれる。すなわち、第２判定部５３が、幅狭ローラーの端部をパンチ孔ＰＨが通過するか否かを判定する。
【産業上の利用可能性】
【００９４】
本発明は、画像読取装置、及び、画像形成装置の分野に利用可能である。
【符号の説明】
【００９５】
１００    画像形成装置
１    画像形成ユニット
２    画像読取ユニット（画像読取装置の一部）
２１０    コンタクトガラス
２２    光源
２３１    第１ミラー
２３２    第２ミラー
２３３    第３ミラー
２６    第１キャリッジ
２７    第２キャリッジ
２８    結像レンズ
２９    ＣＣＤ
３    原稿搬送ユニット（画像読取装置の一部）
３１    原稿トレイ
３２    ピックアップローラー
３３    分離ローラー対
３４    搬送ローラー対
３５    レジストローラー対
３６    読取ガイド
３７    搬送ローラー対
３８    排出ローラー対
３８１    反転ローラー対
３９    原稿排出トレイ
３９１    搬送ガイド
３９２    凸部
３ａ    原稿搬送ユニット（画像読取装置の一部）
３１ａ    原稿トレイ
３２ａ    ピックアップローラー
３３ａ    給紙部
３３５ａ    分離ローラー
３４ａ    搬送ローラー対
３４１ａ    レジストローラー対
３５ａ    搬送ローラー対
３５１ａ    画像読取部
３５２ａ    白基準ローラー
３６ａ    読取ガイド
３７ａ    搬送ローラー対
３８ａ    排出ローラー対
３９ａ    原稿排出トレイ
３９１ａ    搬送ガイド
３９２ａ    凸部
４    操作パネル
４１    タッチパネル
５    制御部
５１    画像読取部
５２    第１判定部
５３    第２判定部
５４    第３判定部
５５    設定変更部
５６    搬送停止部
５７    第１報知部
５８    第２報知部
５９    位置記憶部
【図１】
0006311655.tif 000002
【図２】
0006311655.tif 000003
【図３】
0006311655.tif 000004
【図４】
0006311655.tif 000005
【図５】
0006311655.tif 000006
【図６】
0006311655.tif 000007
【図７】
0006311655.tif 000008